(57)【要約】【課題】照明装置が取付け及び取外し自在に設けられ、邪魔にならず、照射角度を自在に変えられる照明装置付きヘルメットを提供する。【解決手段】鍔部１２を有するヘルメット１１であって、前記鍔部１２の下部には、取付手段を介して照明装置１３が取付け取外し自在に設けられている構成である。【選択図】      図６
0003138262.tif 000002
【実用新案登録請求の範囲】
【請求項１】
鍔部を有するヘルメットであって、
前記鍔部の下部には、取付手段を介して照明装置が取付け取外し自在に設けられていること
を特徴とする照明装置付きヘルメット。
【請求項２】
前記取付手段は、前記鍔部の下部に貼着された面ファスナーと、前記照明装置の保持部材に貼着された面ファスナーとであること
を特徴とする請求項１に記載の照明装置付きヘルメット。
【請求項３】
前記取付手段は、前記鍔部の下部に所定の間隔を開けて設けられる一対の係止部と、該係止部に係止され且つ前記照明装置を保持する保持部材とであること
を特徴とする請求項１に記載の照明装置付きヘルメット。
【請求項４】
前記照明装置は、箱形状に形成されると共に両端部に突起部が設けられ、
前記保持部材は、ベース板と、該ベース板の両端部に設けられる係止片と、前記ベース板の両端部に立設する保持板とからなり、
該保持板に形成された小孔に前記突起部が挿入されて、前記照明装置が回動自在に保持されること
を特徴とする請求項１、２又は３に記載の照明装置付きヘルメット。
【考案の詳細な説明】
【技術分野】
【０００１】
本考案は、照明装置付きヘルメットに関するものであり、更に詳しくは、鍔部の下部に照明装置が取付け及び取外し自在に設けられた、照明装置付きヘルメットに関するものである。
【背景技術】
【０００２】
従来、照明装置を備えるヘルメットとしては、次のような構成のものが知られている。このヘルメットは、ヘルメットの外側の側部に取付治具を介してペンライトが設けられている構成である（特許文献１参照）。また、ヘルメットの外側の前部に取付バンドを介してライトが設けられている構成のものも知られている（特許文献２参照）。
【０００３】
更に、鍔部の前部に、ＬＥＤ光源を一体に組み込んだ構成のヘルメットが知られている（特許文献３参照）。
【特許文献１】特開２０００−３５５８１７号公報
【特許文献２】実用新案登録第３１１３７１８号公報
【特許文献３】特開２００６−９７１５６号公報
【考案の開示】
【考案が解決しようとする課題】
【０００４】
この従来例の、ヘルメットの外側にライトが設けられるタイプのものにおいては、ライトが周囲の障害物等にぶつかるおそれがあり邪魔であると共に、雨天時にはライトに雨水が直接かかるので、内部に水が侵入して故障するおそれがあるという欠点を有している。更には、鍔部が邪魔になってライトの照射角度を下側に向けることができないという欠点も有している。
【０００５】
また、鍔部にＬＥＤ光源を一体に組み込んだタイプのヘルメットにおいては、ＬＥＤ光源の照射角度を自在に変えることができないという欠点があるだけでなく、ＬＥＤ光源を取り外して他のヘルメットに付け替えることができないという欠点を有している。
【０００６】
従って、従来例におけるヘルメットにおいては、ライトが邪魔にならないようにすることと、ライトに雨水が直接かからないようにすることと、ライトの照射角度を自在に変えられるようにすることと、ライトを取り外して他のヘルメットに自在に付け替えることができるようにすることとに解決しなければならない課題を有している。
【課題を解決するための手段】
【０００７】
前記従来例の課題を解決する具体的手段として本考案は、鍔部を有するヘルメットであって、前記鍔部の下部には、取付手段を介して照明装置が取付け取外し自在に設けられていることを特徴とする照明装置付きヘルメットを提供するものである。
【０００８】
また、前記取付手段は、前記鍔部の下部に貼着された面ファスナーと、前記照明装置の保持部材に貼着された面ファスナーとである構成としたものであり、そして、前記取付手段は、前記鍔部の下部に所定の間隔を開けて設けられる一対の係止部と、該係止部に係止され且つ前記照明装置を保持する保持部材とである構成としたものであり、更に、前記照明装置は、箱形状に形成されると共に両端部に突起部が設けられ、前記保持部材は、ベース板と、該ベース板の両端部に設けられる係止片と、前記ベース板の両端部に立設する保持板とからなり、該保持板に形成された小孔に前記突起部が挿入されて、前記照明装置が回動自在に保持される構成としたものである。
【考案の効果】
【０００９】
本考案に係る照明装置付きヘルメットは、鍔部を有するヘルメットであって、前記鍔部の下部には、取付手段を介して照明装置が取付け取外し自在に設けられていることによって、ヘルメットから照明装置を取り外して他のヘルメットに取り付けることができる。更に、照明装置は、鍔部の下に有するので周囲にぶつかることがなく、また、雨水が直接かからないという種々の優れた効果を奏する。
【００１０】
また、取付手段は、前記鍔部の下部に貼着された面ファスナーと、前記照明装置の保持部材に貼着された面ファスナーとであることによって、面ファスナー同士を貼着させれば、照明装置の取付けが極めて容易におこなえる。そして、面ファスナー同士を引き剥がせば、照明装置の取外しも極めて簡単におこなえる。更に、別体の面ファスナーを他のヘルメットの鍔部に貼着させれば、照明装置を簡単に付け替えることができるという種々の優れた効果を奏する。
【００１１】
そして、取付手段は、前記鍔部の下部に所定の間隔を開けて設けられる一対の係止部と、該係止部に係止され且つ前記照明装置を保持する保持部材とであることによって、照明装置の取付け及び取外しが極めて容易におこなえると共に、取付状態が確実であるという優れた効果を奏する。
【００１２】
更に、照明装置は、箱形状に形成されると共に両端部に突起部が設けられ、前記保持部材は、ベース板と、該ベース板の両端部に設けられる係止片と、前記ベース板の両端部に立設する保持板とからなり、該保持板に形成された小孔に前記突起部が挿入されて、前記照明装置が回動自在に保持されることによって、照明装置を回動して照射角度を自在に変えることができる。特に照明装置を下側に向けることができるので、作業者の足元を照らすことが可能であるという優れた効果を奏する。
【考案を実施するための最良の形態】
【００１３】
次に、本考案の実施の形態について図面を参照しながら説明する。まず、図１から図５において、符号１１は照明装置付きヘルメットを示し、このヘルメット１１は、鍔部１２の下部に、取付手段を介して照明装置１３が取付け及び取外し自在に設けられた構成である。
【００１４】
第１実施例の取付手段は、図６に示すように、具体的には、鍔部１２の下部に貼着された面ファスナー１４と、照明装置１３の保持部材１５に貼着された面ファスナー１６とからなる。
【００１５】
面ファスナー１４は、所定の広さを有しており、鍔部１２の下部の略中央位置に両面テープ等の所定の接着手段で貼着されている。
【００１６】
照明装置１３は、略箱形状を呈しており、内部に図示しないボタン電池が収納されていると共に、正面側に３個のＬＥＤ発光体１３ａが設けられている。また、照明装置１３の下部には、発光をＯＮ／ＯＦＦするスイッチ１７が設けられており、両端部には、突起部１８、１８が設けられている。
【００１７】
保持部材１５は、所要広さのベース板１９と、このベース板１９の両端部に設けられる係止片２０、２０と、ベース板１９の両端部に立設する保持板２１、２１とからなる。保持板２１には、小孔２２及びこの小孔２２に連設する溝部２３が形成されている。また、ベース板１９の下部には、面ファスナー１６が接着剤等の所定の接着手段で貼着されている。
【００１８】
ベース板１９に設けた面ファスナー１６を、鍔部１２に設けた面ファスナー１４に貼着させることによって、鍔部１２の下部に照明装置１３を取り付けることができる。このように、照明装置１３の取付けが極めて容易であり、また、面ファスナー１４、１６同士を引き剥がせば、照明装置１３の取外しも極めて簡単におこなえる。
【００１９】
保持部材１５は、両方の保持板２１の小孔２２に、照明装置１３の両端の突起部１８がそれぞれ挿入されて、照明装置１３を回動自在に保持する。従って、照明装置１３を回動させて照射角度を自在に変えることができて、特に下側に向けて作業者の足元を照らすことが可能である（図３参照）。
【００２０】
次に、第２実施例の取付手段について説明する。取付手段は、図７に示すように、具体的には、鍔部１２の下部に一体に形成され、且つ所定の間隔を開けて設けられる一対の係止部２４と、照明装置１３を保持する保持部材１５とである。
【００２１】
係止部２４は、略Ｌ字状に形成されて、所定の幅を有しており、一対の係止部２４、２４が所定の間隔を開けて対向した状態に設けられている。
【００２２】
なお、係止部２４は、所定大きさの板状体の上に一体に形成して、その板状体を鍔部１２の下部に両面テープ等で貼着させてもよいことは勿論である（図示せず）。
【００２３】
保持部材１５は、前記第１実施例の取付手段で詳述したものと同様の構成であり、面ファスナー１６が存在しない点が異なるだけであるから、詳細な説明は省略する。
【００２４】
保持部材１５の両方の係止片２０、２０を一対の係止部２４、２４に挿入させて係止することによって、鍔部１２の下部に照明装置１３を容易に取り付けることができる。また、取付状態が確実である。更に、係止片２０を係止部２４から引き抜けば、照明装置１３の取外しも簡単におこなえる。
【００２５】
以上のように構成される照明装置付きヘルメット１１は、ヘルメットから照明装置１３を取り外して他のヘルメットに取り付けることができる。また、照明装置１３だけを取り外して、単独で懐中電灯のように使用することも可能である。更に、照明装置１３が鍔部１２の下に有するので周囲にぶつかることがなく、雨水が直接かからない。
【図面の簡単な説明】
【００２６】
【図１】本考案に係る照明装置付きヘルメット１１の斜視図である。
【図２】本考案に係る照明装置付きヘルメット１１の側面図である。
【図３】本考案に係る照明装置付きヘルメット１１の側面図である。
【図４】本考案に係る照明装置付きヘルメット１１の正面図である。
【図５】本考案に係る照明装置付きヘルメット１１の底面図である。
【図６】第１実施例の取付手段を説明する、鍔部１２の斜視図である。
【図７】第２実施例の取付手段を説明する、鍔部１２の斜視図である。
【符号の説明】
【００２７】
１１  照明装置付きヘルメット
１２  鍔部
１３  照明装置
１３ａＬＥＤ発光体
１４  面ファスナー
１５  保持部材
１６  面ファスナー
１７  スイッチ
１８  突起部
１９  ベース板
２０  係止片
２１  保持板
２２  小孔
２３  溝部
２４  係止部
【図１】
0003138262.tif 000003
【図２】
0003138262.tif 000004
【図３】
0003138262.tif 000005
【図４】
0003138262.tif 000006
【図５】
0003138262.tif 000007
【図６】
0003138262.tif 000008
【図７】
0003138262.tif 000009